(57)【要約】【課題】アウターメンバーとインナーメンバーとを互いにスライドさせた際の相対位置を従来よりも安定的に維持することができ、水平方向だけでなく、斜め方向や垂直方向のスライドにも適用可能なスライドレールを提供すること。【解決手段】アウターメンバー２は、ウターベース部２０とその幅方向両端において断面略円弧状に形成した左右一対のアウター案内部２１とを有する。インナーメンバー３は、インナーベース部３０とその幅方向両端において断面略円弧状に形成した左右一対のインナー案内部３１とを有する。アウターメンバー２とインナーメンバー３とは、左右一対のアウター案内部２１とインナー案内部３１との間に円柱状の摺動部材４を介在させて組み合わせてなる。アウターメンバー２とインナーメンバー３とは、摺動部材４との間に生じる摩擦力により両者の相対位置を維持できるよう構成されている。【選択図】図６
2010264162.tif 000002
【特許請求の範囲】
【請求項１】
アウターメンバーとインナーメンバーとを相対的にスライド可能に組み合わせてなるスライドレールにおいて、
上記アウターメンバーは、平板帯状のアウターベース部と、その幅方向両端において幅方向外側が凸面で内側が凹面となるように断面略円弧状に形成した左右一対のアウター案内部とを有し、
上記インナーメンバーは、平板帯状のインナーベース部と、その幅方向両端において幅方向外側が凹面で内側が凸面となるように断面略円弧状に形成した左右一対のインナー案内部とを有し、
上記アウターメンバーと上記インナーメンバーとは、上記アウターベース部と上記インナーベース部とを対面させると共に、左右一対の上記アウター案内部と上記インナー案内部との間に円柱状の摺動部材を介在させて組み合わせてなり、
かつ、上記アウターメンバーと上記インナーメンバーとは、上記摺動部材との間に生じる摩擦力により両者の相対位置を維持できるよう構成されていることを特徴とするスライドレール。
【請求項２】
請求項１において、上記摺動部材は、ポリアセタール樹脂よりなることを特徴とするスライドレール。
【請求項３】
請求項１又は２において、上記アウターメンバーと上記インナーメンバーとの摺動抵抗は１０〜６０Ｎの範囲にあることを特徴とするスライドレール。
【請求項４】
請求項１〜３のいずれか１項において、上記摺動部材は、上記アウター案内部と上記インナー案内部の一方に対してスライド方向に移動しないよう固定してあることを特徴とするスライドレール。
【請求項５】
請求項４において、上記アウター案内部の長手方向両端には、上記凹面を上記摺動部材の直径よりも小さくなる方向に曲げて設けたエンドストップ部を有し、上記摺動部材は、上記アウター案内部の両端の上記エンドストップ部間の長さに対応する長さを有することを特徴とするスライドレール。
【請求項６】
請求項４において、上記インナー案内部の長手方向両端には、上記凹面を上記摺動部材の直径よりも小さくなる方向に曲げて設けたエンドストップ部を有し、上記摺動部材は、上記インナー案内部の両端の上記エンドストップ部間の長さに対応する長さを有することを特徴とするスライドレール。
【発明の詳細な説明】
【技術分野】
【０００１】
本発明は、スライドさせるべき対象物を任意の位置で維持可能なスライドレールに関する。
【背景技術】
【０００２】
たとえば、キャビネットやその他の様々な物品において、引き出しなどを本体に対して移動可能に保持するための部材として、スライドレールが広く利用されている。従来のスライドレールとしては、アウターメンバーとインナーメンバーとをベアリングを介して組み付けたものがある（特許文献１参照）
この従来のスライドレールは、アウターメンバーとインナーメンバーとの間に介在させたベアリングの作用によって、アウターメンバーとインナーメンバーとを互いに小さな力でスムーズにスライドさせることが可能である。
【先行技術文献】
【特許文献】
【０００３】
【特許文献１】特開２００５−１３３２８６号公報
【発明の概要】
【発明が解決しようとする課題】
【０００４】
ところで、上記従来のスライドレールは、アウターメンバーとインナーメンバーとがスムーズにスライド可能である代わりに、移動領域の途中において安定して止めておくことが難しい。そして、たとえばスライドレールのスライド方向を水平方向でない方向に用いることは、実質的には困難である。スライドレールを垂直方向あるいは斜めに配置した場合には、スライドさせるべき対象物の自重が小さくても、支持しなければ常に下方に移動してしまうからである。
【０００５】
本発明は、かかる問題点に鑑みてなされたもので、アウターメンバーとインナーメンバーとを互いにスライドさせた際の相対位置を従来よりも安定的に維持することができ、水平方向だけでなく、斜め方向や垂直方向のスライドにも適用可能なスライドレールを提供しようとするものである。
【課題を解決するための手段】
【０００６】
本発明は、アウターメンバーとインナーメンバーとを相対的にスライド可能に組み合わせてなるスライドレールにおいて、
上記アウターメンバーは、平板帯状のアウターベース部と、その幅方向両端において幅方向外側が凸面で内側が凹面となるように断面略円弧状に形成した左右一対のアウター案内部とを有し、
上記インナーメンバーは、平板帯状のインナーベース部と、その幅方向両端において幅方向外側が凹面で内側が凸面となるように断面略円弧状に形成した左右一対のインナー案内部とを有し、
上記アウターメンバーと上記インナーメンバーとは、上記アウターベース部と上記インナーベース部とを対面させると共に、左右一対の上記アウター案内部と上記インナー案内部との間に円柱状の摺動部材を介在させて組み合わせてなり、
かつ、上記アウターメンバーと上記インナーメンバーとは、上記摺動部材との間に生じる摩擦力により両者の相対位置を維持できるよう構成されていることを特徴とするスライドレールにある（請求項１）。
【発明の効果】
【０００７】
本発明のスライドレールは、上記のごとく、上記アウターメンバーとインナーメンバーとを、上記円柱状の摺動部材を介在させて組み合わせてある。そのため、上記アウターメンバーとインナーメンバーとを相対的に移動させる場合には、アウターメンバーと摺動部材の間とインナーメンバーと摺動部材の間の一方又は両方において擦れ合う。それ故、アウターメンバーとインナーメンバーとを相対的にスライドさせる場合には、動作開始時には上記摺動部材との間に生じる静摩擦力以上の応力をスライドレールに作用させ、スライド中には動摩擦力以上の応力をスライドレールに作用させる必要がある。そして、それが故に、一旦アウターメンバーとインナーメンバーとの相対的な移動を停止させれば、摺動部材との間に生じる静摩擦力によって、比較的安定的に両者の相対的な位置を維持することができる。
【０００８】
また、アウターメンバーとインナーメンバーの相対移動停止時の維持力は、上記静摩擦力によって決まるが、これは、摺動部材の選定によるアウター案内部及びインナー案内部との間の摩擦係数の調整、及び、摺動部材の外径寸法の調整等によるアウター案内部及びインナー案内部との間の圧縮応力の調整によって制御することができる。
【０００９】
そして、本発明のスライドレールは、上記のごとく調整した適度な維持力を有する構成とすることができるので、アウターメンバーとインナーメンバーとをスライドさせた際の相対位置を従来よりも安定的に維持することができ、水平方向だけでなく、斜め方向や垂直方向のスライドにも適用可能となる。
【図面の簡単な説明】
【００１０】
【図１】実施例１における、アウターメンバーとインナーメンバーとを一方のスライド限に位置させた状態のスライドレールを示す正面図。
【図２】実施例１における、アウターメンバーとインナーメンバーとを他方のスライド限に位置させた状態のスライドレールを示す正面図。
【図３】実施例１における、摺動部材を示す斜視図。
【図４】実施例１における、図１の矢印Ａ方向から見た端面の構成を示す説明図。
【図５】実施例１における、図１の矢印Ｂ方向から見た端面の構成を示す説明図。
【図６】実施例１における、図１のＣ−Ｃ線矢視断面図。
【図７】実施例２における、スライドレールを示す正面図。
【図８】実施例２における、インナーメンバーの端部構造を示す説明図。
【図９】実施例３における、本発明のスライドレールを適用したテレビ台の天板の積層構造を示す説明図。
【図１０】実施例３における、天板がすべて重なり合っている状態を示す説明図。
【図１１】実施例３における、第１天板及び第２天板を第３天板寄りも前方へスライドさせた状態を示す説明図。
【図１２】実施例４における、本発明のスライドレールをヘッドレストの支柱として適用したシートを示す説明図。
【図１３】実施例５における、本発明のスライドレールをヘッドレストの支柱として適用した別例を示す説明図。
【発明を実施するための形態】
【００１１】
本発明において、上記摺動部材は、アウターメンバー及びインナーメンバーとの間に適度な摩擦力を生じるものであれば、様々な材質のものを適用可能であるが、摺動によって摩耗しにくいものが好適である。
特に、上記摺動部材は、ポリアセタール樹脂（ＰＯＭ）よりなることが好ましい（請求項２）。ＰＯＭは、耐摩耗性に優れ、上記摺動部材として長期間安定して使用できる。
【００１２】
また、上記アウターメンバーと上記インナーメンバーとの摺動抵抗は１０〜６０Ｎの範囲にあることが好ましい（請求項３）。上記摺動抵抗が大きすぎればスライドさせるべき対象物をスライドさせる際に必要な力が大きくなりすぎ、一方、上記摺動抵抗が小さすぎれば、所望の位置でスライド位置を固定する際の安定性が低下する。そして、上記摺動抵抗の適切な範囲は、スライドさせるべき対象物の重量等によって調整すべきである。なお、人の力でスライドさせることを前提とすると、上記摺動抵抗は、上記範囲に入っていることが好ましい。より好ましくは、２０〜４０Ｎの範囲である。
【００１３】
なお、この摺動抵抗は、上述した動摩擦力に相当するものであり、例えば、上記アウターメンバーを固定し、インナーメンバーに荷重計をつけてスライドさせ、スライド開始時の荷重を測定することにより行うことができる。
【００１４】
また、上記摺動部材は、上記アウター案内部と上記インナー案内部の一方に対してスライド方向に移動しないよう固定してあることが好ましい（請求項４）。上記摺動部材は、アウター案内部とインナー案内部との間から脱落しないように保持できれば、両者に対して摺動するように配置してもよいが、上記のごとく一方に固定した方が構造が簡単で安定したスライド動作を得ることができる。摺動部材の固定方法としては様々な方法をとりうる。
【００１５】
また、上記摺動部材を上記アウター案内部と上記インナー案内部の一方に対してスライド方向に移動しないよう固定する場合に、いずれに固定するかは、アウターメンバーとインナーメンバーの長さの関係その他によって選択できる。特に、摺動部材の使用長さを短くしてコストダウンを図る場合には、アウターメンバーとインナーメンバーの長さの短い方に固定することが好ましい。
【００１６】
そして、上記摺動部材をアウター案内部に固定する構造としては、たとえば、上記アウター案内部の長手方向両端には、上記凹面を上記摺動部材の直径よりも小さくなる方向に曲げて設けたエンドストップ部を有し、上記摺動部材は、上記アウター案内部の両端の上記エンドストップ部間の長さに対応する長さを有する構造をとることができる（請求項５）。
【００１７】
また、上記摺動部材をインナー案内部に固定する構造としては、たとえば、上記インナー案内部の長手方向両端には、上記凹面を上記摺動部材の直径よりも小さくなる方向に曲げて設けたエンドストップ部を有し、上記摺動部材は、上記インナー案内部の両端の上記エンドストップ部間の長さに対応する長さを有する構造をとることができる（請求項６）。
【実施例】
【００１８】
（実施例１）
本発明の実施例にかかるスライドレールにつき、図１〜図６を用いて説明する。
本例のスライドレール１は、図１、図２に示すごとく、アウターメンバー２とインナーメンバー３とを相対的にスライド可能に組み合わせてなるスライドレールである。
アウターメンバー２は、図６に示すごとく、平板帯状のアウターベース部２０と、その幅方向両端において幅方向外側が凸面２１１で内側が凹面２１２となるように断面略円弧状に形成した左右一対のアウター案内部２１とを有している。
【００１９】
インナーメンバー３は、図６に示すごとく、平板帯状のインナーベース部３０と、その幅方向両端において幅方向外側が凹面３１１で内側が凸面３１２となるように断面略円弧状に形成した左右一対のインナー案内部３１とを有している。
アウターメンバー２とインナーメンバー３とは、アウターベース部２０とインナーベース部３０とを対面させると共に、左右一対のアウター案内部２１とインナー案内部３１との間に円柱状の摺動部材４（図３）を介在させて組み合わせている。
そして、アウターメンバー２とインナーメンバー３とは、両者の相対位置を、摺動部材４との間に生じる摩擦力により固定可能に構成されている。
【００２０】
以下、さらに詳説する。
アウターメンバー２は、図１、図２、図４〜図６に示すごとく、ステンレス鋼板を成形して作製したものであり、帯状のアウターベース部２０の幅方向両端を曲げ加工して上記アウター案内部２１を設けてある。アウター案内部２１は、アウターメンバー２の全長に設けられており、その両端には、後述するエンドストップ部２３を有している。アウター案内部２１は、上記のごとく、幅方向外側が凸面２１１で内側が凹面２１２となるように断面略円弧状に形成されている。
【００２１】
アウター案内部２１の長手方向両端には、上記凹面２１２を摺動部材４の直径よりも小さくなる方向に曲げて設けたエンドストップ部２３を有している。具体的には、アウター案内部２１の両端近傍に、長手方向と直交する方向に切れ目を設け、その切れ目よりも端部寄りの部分を内方に曲げ加工することによってエンドストップ部２３を設けてある。
【００２２】
また、図１、図２、図５に示すごとく、アウターメンバー２の一端には、インナーメンバー３がその一端から抜けることを防止するために、アウターベース部２０の端部を略直角に折り曲げて立設させたストッパプレート部２９を設けてある。
また、アウターメンバー２の途中には、インナーメンバー３が他端から抜けることを防止するための係合突出部２８（図１）を、アウターベース部２０を部分的に変形突出させることによって設けてある。
また、アウターベース部２０には、これを固定する部材に対して締結用のビスを挿入するビス穴２６を複数設けてある。
【００２３】
インナーメンバー３は、図１、図２、図４〜図６に示すごとく、アウターメンバー２と同様にステンレス鋼板を成形して作製したものである。インナーメンバー３は、帯状のインナーベース部３０の幅方向両端を曲げ加工してインナー案内部３１を設けてある。インナー案内部３１は、インナーメンバー３の全長に設けてあり、図６に示すごとく、幅方向外側が凹面３１１で内側が凸面３１２となるように断面略円弧状に形成されている。また、図１、図２、図４に示すごとく、インナー案内部３１の両端には、アウター案内部２１が有するようなエンドストップ部等を設けておらず、その全長が上記摺動部材４の外周面に対向できるように同じ断面形状となっている。
【００２４】
また、図１、図２、図５に示すごとく、インナーメンバー３の一端には、アウターメンバー２における上記ストッパプレート部２９に当接させるための当接片３９を、インナーベース部３０の端部を折り曲げて設けてある。また、当接片３９の近傍には、インナーベース部３０を貫通してアウターベース部２０に向けて突出するビス部３８を固定してある。ビス部３８の突出量は、インナーメンバー３とアウターメンバー２とを組み付けた状態において、ビス部３８の先端がアウターベース部２０の表面には接触せず、かつ、アウターベース部２０から突出した上記係合突出部２８と係合する突出量に調整してある。
また、アウターベース部２０には、これを固定する部材に対して締結用のねじを挿入するねじ穴部３６を複数設けてある。
【００２５】
摺動部材４は、図１、図２に示すごとく、アウター案内部２１の両端のエンドストップ部２３間の長さに対応する長さを有しており、アウターメンバー２に対する長手方向の相対移動がエンドストップ部２３の存在により阻止されるようになっている。
摺動部材４は、図４に示すごとく、ポリアセタール樹脂（ＰＯＭ）よりなる丸棒である。直径は約５ｍｍである。
【００２６】
そして、図１、図２、図４〜図６に示すごとく、上記アウターメンバー２とインナーメンバー３とは、アウターベース部２０とインナーベース部３０とを対面させると共に、左右一対のアウター案内部２１とインナー案内部３１との間に円柱状の摺動部材４を介在させて組み合わせている。そして、アウター案内部２１とインナー案内部３１とが摺動部材４との間において適度な摩擦力が得られるように、アウター案内部２１とインナー案内部３１との間隔を若干摺動部材４の直径よりも小さくなるように調整してある。
【００２７】
本例のスライドレール１は、このように構成されているので、図１に示す一方のスライド限に位置する状態と、図２に示す他方のスライド限に位置する状態との間の任意の位置において、アウターメンバー２とインナーメンバー３との相対位置を比較的安定して維持させることができる。
【００２８】
すなわち、スライドレール１は、上記のごとく、アウターメンバー２とインナーメンバー３とを、円柱状の摺動部材４を介在させて組み合わせてある。そして、これらの間には適度な圧縮応力が付与されており、接触面が摺動する際にはその摩擦力によって適度な摺動抵抗が得られる。そして、一旦アウターメンバー２とインナーメンバー３との相対的な移動を停止させれば、摺動部材４との間に生じる静摩擦力によって、比較的安定的に両者の相対的な位置を維持することができる。
したがって、本例のスライドレール１は、アウターメンバー２とインナーメンバー３との相対位置を従来よりも安定的に維持することができ、水平方向だけでなく、斜め方向や垂直方向のスライドにも適用可能とすることができる。
【００２９】
なお、アウターメンバー２とインナーメンバー３の相対移動停止時の維持力は、摺動部材４の選定によるアウター案内部２１及びインナー案内部３１との間の摩擦係数の調整、及び、摺動部材４の外径寸法の調整等によるアウター案内部２１及びインナー案内部３１との間の圧縮応力の調整によって制御することができる。
【００３０】
（実施例２）
本例は、図７、図８に示すごとく、摺動部材４を、インナーメンバー３に対してスライドしないよう固定したタイプのスライドレール１０２に関するものである。その他の構成は実施例１と同様である。
【００３１】
本例のインナーメンバー３は、同図に示すごとく、実施例１と同様のインナー案内部３１を有し、その長手方向両端には、上記凹面３１２を摺動部材４の直径よりも小さくなる方向に曲げて設けたエンドストップ部３３を有している。具体的には、インナー案内部３１の両端近傍に、長手方向と直交する方向に切れ目を設け、その切れ目よりも端部寄りの部分を幅方向外方に曲げ加工することによってエンドストップ部３３を設けてある。
【００３２】
また、本例のアウターメンバー２は、同図に示すごとく、アウター案内部２１は、アウターメンバー２の全長に設けられており、その両端にはエンドストップ部を設けていない。したがって、アウターインナー案内部２１は、アウター案内部２１が有するようなエンドストップ部等を設けておらず、その全長が上記摺動部材４の外周面に対向できるように同じ断面形状となっている。
【００３３】
そして、摺動部材４は、インナーメンバー３における上記エンドストップ部２３を間に収まる長さに設けられ、インナーメンバー３に対してスライド方向に移動しないよう固定されている。
その他の構造は、実施例１と同様である。
【００３４】
本例のスライドレール１０２は、摺動部材４がインナーメンバー３に固定され、インナーメンバー３と共にアウターメンバー２に対して移動するので、実施例１の場合と比べて摺動部材４の長さを短くすることができる。そのため、摺動部材４の使用量を抑制することができ、スライドレールの製造コストを低減させることができる。
その他は、実施例１と同様の作用効果が得られる。
【００３５】
（実施例２）
本例は、実施例１のスライドレール１をテレビ台に適用した例である。
図９、図１０に示すごとく、本例のテレビ台５は、三重に重ねた第１天板５１、第２天板５２及び第３天板５３を有している。第１天板５１と第２天板５２とは、回転支持体５４によって相対回転可能に固定されている。また、第２天板５２と第３天板５３とは、実施例１に記載のスライドレール１を２本介在させることによってスライド可能に固定されている。
【００３６】
スライドレール１は、そのアウターメンバー２を第２天板５２の下側面に固定し、インナーメンバー３を第３天板５３の上側面に固定してある。そのため、スライドレール１のスライド機能を利用することにより、図１１に示すごとく、第３天板５３に対して、第２天板５２及び第１天板５１をスライドさせることができる。このとき、同図に示すごとく、インナーメンバー３は、第３天板５３に固定されたまま、アウターメンバー２と共に第２天板５２がスライドする。
【００３７】
また、スライドレール１は、上述したごとく、アウターメンバー２とインナーメンバー３の相対位置を所望の位置で維持することができる。そのため、図１０に示す状態と、図１１に示す状態との間の任意の位置において第２天板５２及び第１天板５１を止めておくことができる。そして、その所望の位置において、上記回転支持体５４の機能を用いることにより、第２天板５２に対して第１天板５１を所望の方向に回動させることができる。
【００３８】
上記テレビ台５を用いれば、重量物であるテレビを第１天板５１上に載置して、適宜所望の位置に配置することができる。そして、特に前後方向のスライド位置についても、任意の所望位置において維持することができるの非常に便利である。
【００３９】
（実施例４）
本例は、図１２に示すごとく、実施例１のスライドレール１をシート６のヘッドレスト６１を保持するための支柱として適用した例である。
シート６は、シートバック６０の上端に、昇降可能にヘッドレスト６１を有する構造のものである。ヘッドレスト６１の支柱としてのスライドレール１は、そのインナーメンバー３をシートバック６０の上端の内部に固定し、アウターメンバー２をヘッドレスト６１に固定してある。そして、スライドレール１のスライド機能を利用することにより、ヘッドレスト６１を昇降可能としてある。
【００４０】
ここで上記スライドレール１は、上述したごとく、スライド方向を垂直方向にしても所望の位置でアウターメンバー２とインナーメンバー３の位置関係を維持することができる。そのため、ヘッドレスト６１の位置を無段階で所望位置に保持することが可能となり、ヘッドレスト６１使用時の利便性を向上させることができる。
【００４１】
（実施例５）
本例は、図１３に示すごとく、実施例４におけるヘッドレスト６１の支柱として、２枚のスライド板６５、６６の間に上記スライドレール１を２本配設した構成のものを採用した例である。
スライド板６５、６６及びスライドレール１の係合関係は、実施例３における第２天板５２、第３天板５３及びスライドレール１の係合関係と同様である。
【００４２】
そして、ヘッドレスト６１にはスライド板６５を固定し、シートバック６０にはスライド板６６の下端を固定してある。スライド板６５とスライド板６６とは、介在させたスライドレール１ののスライド機能を利用することにより、スライド可能であり、これにより、ヘッドレスト６１を昇降可能としてある。
【００４３】
ここで上記スライドレール１は、上述したごとく、スライド方向を垂直方向にしても所望の位置でアウターメンバー２とインナーメンバー３の位置関係を維持することができるので、スライド板６５、６６の相対位置、つまり、ヘッドレスト６１の位置を無段階で所望位置に保持することが可能となる。
また、ヘッドレスト６１に付与される荷重は、スライド板６５、６６によって受け止めることができ、実施例４の場合よりも耐荷重を高めることができる。
【符号の説明】
【００４４】
１  スライドレール
２  アウターメンバー
２０  アウターベース部
２１  アウター案内部
２３  エンドストップ部
３  インナーメンバー
３０  インナーベース部
３１  インナー案内部
４  摺動部材
【図１】
2010264162.tif 000003
【図２】
2010264162.tif 000004
【図３】
2010264162.tif 000005
【図４】
2010264162.tif 000006
【図５】
2010264162.tif 000007
【図６】
2010264162.tif 000008
【図７】
2010264162.tif 000009
【図８】
2010264162.tif 000010
【図９】
2010264162.tif 000011
【図１０】
2010264162.tif 000012
【図１１】
2010264162.tif 000013
【図１２】
2010264162.tif 000014
【図１３】
2010264162.tif 000015